(57)【要約】  本発明によれば、エレメント取付部（Ａ）及びテープ主体部（Ｂ）を有し経編組織からなる編物製ファスナーテープ（１００、２００）と、エレメント取付部（Ａ）の上に縫着されたコイル状の樹脂製エレメント列（１０１）とを備えたファスナーストリンガー（１０２）であって、前記エレメント列（１０１）をエレメント取付部（Ａ）に縫着するためのニードル糸（１０６）を一つのウェール（Ｗ２）を跨いで２本配置することで２本の縫製ラインを形成すると共に、この２本の縫製ラインの内側の縫製ラインを跨ぐ編糸（１０４’、１０５’’、１１２’）のうちいずれか１本の編糸の繊度を７２〜３３０ｄＴｅｘとし、その他の実質的にすべての編糸の繊度を５６〜１６７ｄＴｅｘとし、但し、２本の縫製ラインの内側の縫製ラインを跨ぐ当該１本の編糸（１０４’、１０５’’、１１２’）が、その他の実質的にすべての編糸より太いファスナーストリンガーが提供される。本発明に係るファスナーストリンガーは軽さと強度を兼備することができる。
2012042616.tif 000002
【特許請求の範囲】
【請求項１】
エレメント取付部（Ａ）及びテープ主体部（Ｂ）を有し経編組織からなる編物製ファスナーテープ（１００、２００）と、エレメント取付部（Ａ）の上に縫着されたコイル状の樹脂製エレメント列（１０１）とを備えたファスナーストリンガー（１０２）であって、前記エレメント列（１０１）をエレメント取付部（Ａ）に縫着するためのニードル糸（１０６）を一つのウェール（Ｗ２）を跨いで２本配置することで２本の縫製ラインを形成すると共に、この２本の縫製ラインの内側の縫製ラインを跨ぐ編糸のうちいずれか１本の編糸（１０４’、１０５’’、１１２’）の繊度を７２〜３３０ｄＴｅｘとし、その他の実質的にすべての編糸の繊度を５６〜１６７ｄＴｅｘとし、但し、２本の縫製ラインの内側の縫製ラインを跨ぐ当該１本の編糸（１０４’、１０５’’、１１２’）が、その他の実質的にすべての編糸より太いファスナーストリンガー。
【請求項２】
エレメント取付部（Ａ）及びテープ主体部（Ｂ）を有し経編組織からなる編物製ファスナーテープ（１００、２００）と、エレメント取付部（Ａ）の上に縫着されたコイル状の樹脂製エレメント列（１０１）とを備えたファスナーストリンガー（１０２）であって、前記エレメント列（１０１）をエレメント取付部（Ａ）に縫着するためのニードル糸（１０６）を一つのウェール（Ｗ２）を跨いで２本配置することで２本の縫製ラインを形成すると共に、この２本の縫製ラインの内側の縫製ラインを跨ぐ編糸のうちいずれか１本の編糸（１０４’、１０５’’、１１２’）の繊度を７２〜３３０ｄＴｅｘとし、その他の実質的にすべての編糸の繊度を５６〜１６７ｄＴｅｘとし、エレメント取付部（Ａ）の最も外側の編糸（１０３’）の繊度を６６〜２７５ｄＴｅｘとし、但し、２本の縫製ラインの内側の縫製ラインを跨ぐ当該１本の編糸（１０４’、１０５’’、１１２’）及びエレメント取付部（Ａ）の最も外側の編糸（１０３’）が、その他の実質的にすべての編糸より太いファスナーストリンガー。
【請求項３】
一つの編目に対して３本の編糸が交絡している編目の数が編目全体の数に対して５０％以上である請求項１又は２記載のファスナーストリンガー。
【請求項４】
前記テープ（１００、２００）が鎖編糸（１０３、１０３’）及びトリコット編糸（１０４、１０４’）のほか、更にサテン編糸（１０５、１０５’、１０５’’）及び変形二目編糸（１１２、１１２’）から選択される１種類を加えた合計３種類で編成される請求項１〜３何れか一項記載のファスナーストリンガー。
【請求項５】
内側の縫製ラインを跨ぐ前記１本の編糸（１０４’、１０５’’、１１２’）がトリコット編糸（１０４’）、サテン編糸（１０５’’）及び変形二目編糸（１１２’）よりなる群から選択される請求項１〜３何れか一項記載のファスナーストリンガー。
【請求項６】
エレメント列（１０１）を縫着するための２本のニードル糸（１０６）が跨ぐウェール（Ｗ２）は、エレメント取付部の外側から数えて第２番目のウェールである請求項１〜５何れか一項記載のファスナーストリンガー。
【請求項７】
前記ニードル糸（１０６）の繊度が１００〜３５０ｄＴｅｘである請求項１〜６何れか一項記載のファスナーストリンガー。
【請求項８】
請求項１〜７何れか一項記載のファスナーストリンガー（１０２）を備えたスライドファスナー。
【請求項９】
請求項８記載のスライドファスナーが縫着された物品。
【発明の詳細な説明】
【技術分野】
【０００１】
本発明は編物製テープを備えたファスナーストリンガーに関する。また、本発明は当該ファスナーストリンガーを用いたスライドファスナーチェーン及びスライドファスナーに関する。
【背景技術】
【０００２】
スライドファスナーは衣料品、鞄類、靴類及び雑貨品といった日用品はもちろんのこと、貯水タンク、漁網及び宇宙服といった産業用品においても利用されている物品の開閉具である。【０００３】
スライドファスナーは一般に、一対の長尺テープ、各テープの一側縁に沿って縫製されるファスナーの噛合部分である多数のエレメント、及びエレメントを噛合及び分離することによりファスナーの開閉を制御するスライダーの三つの部分から主として構成される。【０００４】
スライドファスナー用のテープ（以下、「ファスナーテープ」という。）は、物品の本体部分に縫着されるテープ主体部とエレメントを取り付ける部分であるエレメント取付部から構成される。エレメント取付部には縫合糸によってエレメントが取り付けられる。テープ主体部の端部にはほつれ防止用の耳糸を設けることができる。エレメントが取り付けられたテープはファスナーストリンガーと呼ばれる。【０００５】
ファスナーテープとしては織物製テープが従来使用されてきたが、近年では織物に比べて柔軟性及び形態安定性に優れていることから、経編組織からなる編物製テープも広く使用されるようになっている。【０００６】
編物製テープの特性改良を図るべくこれまで種々の技術が提案されているが、その中で、経編組織を構成する糸を一部太くすることにより特性改良を行った技術がある。【０００７】
例えば、実公昭５９−２９５２５号公報（特許文献１）には、ジグザグエレメントのようなテープを表裏から挟んで縫糸で止着される連続エレメントを備えるスライドファスナーに関して、エレメントがテープより抜け出す方向へずれるおそれが無く、安定した噛合状態が得られるスライドファスナーが提案されている。【０００８】
特許文献１によれば、エレメントを取り付ける側のウェールが他のものより高く幅広く形成してあることにより、エレメントを強固に取付け得ることが記載されている。そして、具体例として、ウェールを挟むタイプの連続エレメントを取り付ける側縁部では、第１針列と第２針列の間のトリコット編の糸、及び第２針列と第３針列に設けた鎖編の糸を他の糸より太くしたことが記載されている。【０００９】
特公昭５２−１８６１６号公報（特許文献２）には、スライドファスナー製造用テキスタイル帯に関し、支持帯同士を合体して一つの広幅テキスタイル帯とする際の帯縁部を強化するために、帯縁部を限定する鎖編糸、二目ふさ編糸及びインレイ糸として、太い糸を用いたことが記載されている。これにより、支持帯の強度と弾力性を改良できることが記載されている。【００１０】
特開平９−３１８号公報（特許文献３）では、縦方向に並列する複数のウエールを具備する細幅の経編テープにおいて、ファスナーエレメント取付部は縦方向に非伸縮の編組織（実施例では鎖編糸と他の編糸との交絡による編組織）から編成され、該編組織の外側ウエールの編糸は太い編糸とし、テープ主体部は縦方向に伸縮可能な編組織（実施例ではテクスチャード糸によるシングルコード編とマルチフィラメント糸による他の編糸との交絡による編組織）から編成され、該編組織の外側縁は二種の太い編糸の交絡による編組織から形成されたことを特徴とするスライドファスナー用経編テープが提案されている。これによれば、ファスナーエレメント取付部が縦方向に非伸縮の編組織であり、その縁部は補強されているから、ファスナーエレメントを安定した状態で装着できファスナーエレメントの噛合動作が的確かつ円滑に行えるとされている。
【先行技術文献】
【特許文献】
【００１１】
【特許文献１】実公昭５９−２９５２５号公報
【特許文献２】特公昭５２−１８６１６号公報
【特許文献３】特開平９−３１８号公報
【発明の概要】
【発明が解決しようとする課題】
【００１２】
上記先行技術はスライドファスナーの軽量化を目的とするものではなく、その解決策について何ら示唆を与えるものではない。ランニング、サイクリング及びトレッキングといったアウトドアスポーツに利用される携帯用ウィンドブレーカーや、婦人用レース、乳幼児用カーディガンなど軽さが重要視される物品においては、強度を保持しながらスライドファスナーを軽量化することができれば有利であろう。【００１３】
一方、ファスナーテープに取り付けるエレメントには、金属製エレメント及びテープに射出成型された樹脂製エレメントに代表される単独エレメントや、コイル状の樹脂製エレメントに代表される連続エレメントがあるが、コイル状の樹脂製エレメントは軽い上に柔軟性が高い。上記のような携帯用物品においては折り畳んでポケットなどに容易に収納できることが望ましいことから、スライドファスナーの軽量化を実現する上では、使用するエレメントの種類も考慮しながらファスナーテープの改善を追求していくことが有利であろう。【００１４】
そこで、本発明は経編組織からなる編物製テープと、コイル状の樹脂製エレメントを使用しつつ、軽さと強度を兼ね備えたファスナーストリンガーを提供することを課題の一つとする。本発明はそのようなファスナーストリンガーを備えたスライドファスナーチェーンを提供することを別の課題の一つとする。本発明はそのようなスライドファスナーチェーンを備えたスライドファスナーを提供することを更に別の課題の一つとする。
【課題を解決するための手段】
【００１５】
本発明者はスライドファスナーの軽量化を図るべくファスナーテープを構成する編糸を細くすることを検討したが、全体的に糸を細くしてしまうと必要な強度（特にチェーン横引強度）が得られなくなってしまうことが分かった。しかしながら、本発明者は更に検討を続けると、エレメント列を逢着するためのニードル糸を一つのウェールを跨いで２本配置することで２本の縫製ラインを形成すると共に、この２本の縫製ラインの内側の縫製ラインを跨ぐ編糸のうちいずれか１本の編糸を十分に太くすれば、他の糸が細くても実用的な強度が得られることを見出した。【００１６】
以上の知見を基礎として完成した本発明は一側面において、エレメント取付部（Ａ）及びテープ主体部（Ｂ）を有し経編組織からなる編物製ファスナーテープ（１００、２００）と、エレメント取付部（Ａ）の上に縫着されたコイル状の樹脂製エレメント列（１０１）とを備えたファスナーストリンガー（１０２）であって、前記エレメント列（１０１）をエレメント取付部（Ａ）に縫着するためのニードル糸（１０６）を一つのウェール（Ｗ２）を跨いで２本配置することで２本の縫製ラインを形成すると共に、この２本の縫製ラインの内側の縫製ラインを跨ぐ編糸のうちいずれか１本の編糸（１０４’、１０５’’、１１２’）の繊度を７２〜３３０ｄＴｅｘとし、その他の実質的にすべての編糸の繊度を５６〜１６７ｄＴｅｘとし、但し、２本の縫製ラインの内側の縫製ラインを跨ぐ当該１本の編糸（１０４’、１０５’’、１１２’）が、その他の実質的にすべての編糸より太いファスナーストリンガーである。【００１７】
本発明は別の一側面において、エレメント取付部（Ａ）及びテープ主体部（Ｂ）を有し経編組織からなる編物製ファスナーテープ（１００、２００）と、エレメント取付部（Ａ）の上に縫着されたコイル状の樹脂製エレメント列（１０１）とを備えたファスナーストリンガー（１０２）であって、前記エレメント列（１０１）をエレメント取付部（Ａ）に縫着するためのニードル糸（１０６）を一つのウェール（Ｗ２）を跨いで２本配置することで２本の縫製ラインを形成すると共に、この２本の縫製ラインの内側の縫製ラインを跨ぐ編糸のうちいずれか１本の編糸（１０４’、１０５’’、１１２’）の繊度を７２〜３３０ｄＴｅｘとし、その他の実質的にすべての編糸の繊度を５６〜１６７ｄＴｅｘとし、エレメント取付部（Ａ）の最も外側の編糸（１０３’）の繊度を６６〜２７５ｄＴｅｘとし、但し、２本の縫製ラインの内側の縫製ラインを跨ぐ当該１本の編糸（１０４’、１０５’’、１１２’）及びエレメント取付部（Ａ）の最も外側の編糸（１０３’）が、その他の実質的にすべての編糸より太いファスナーストリンガーである。【００１８】
本発明に係るファスナーストリンガーの一実施形態においては、一つの編目に対して３本の編糸が交絡している編目の数が編目全体の数に対して５０％以上である。【００１９】
本発明に係るファスナーストリンガーの更に別の一実施形態においては、前記テープ（１００、２００）が鎖編糸（１０３、１０３’）及びトリコット編糸（１０４、１０４’）のほか、更にサテン編糸（１０５、１０５’、１０５’’）及び変形二目編糸（１１２、１１２’）から選択される１種類を加えた合計３種類で編成される。【００２０】
本発明に係るファスナーストリンガーの更に別の一実施形態においては、内側の縫製ラインを跨ぐ前記１本の編糸（１０４’、１０５’’、１１２’）がトリコット編糸（１０４’）、サテン編糸（１０５’’）及び変形二目編糸（１１２’）よりなる群から選択される。【００２１】
本発明に係るファスナーストリンガーの更に別の一実施形態においては、エレメント列（１０１）を縫着するための２本のニードル糸（１０６）が跨ぐウェール（Ｗ２）は、エレメント取付部の外側から数えて第２番目のウェールである。【００２２】
本発明に係るファスナーストリンガーの更に別の一実施形態においては、前記ニードル糸（１０６）の繊度が１００〜３５０ｄＴｅｘである。【００２３】
本発明は更に別の一側面において、本発明に係るファスナーストリンガー（１０２）を備えたスライドファスナーである。【００２４】
本発明は更に別の一側面において、本発明に係るスライドファスナーが縫着された物品である。
【発明の効果】
【００２５】
本発明によれば、軽さと強度を兼ね備えたファスナーストリンガーが提供される。また、本発明に係るファスナーストリンガーは従来に比べて細い糸を使用したことで、柔軟性が向上するという効果も得られる。
【図面の簡単な説明】
【００２６】
【図１】本発明の第１実施例に係るファスナーテープの編組織図を示す。
【図２】第１実施例で使用した個々の編糸の組織図を示す。
【図３】ファスナーテープにエレメントを縫着してファスナーストリンガーとした状態を示す断面図である。
【図４】第１実施例に使用することができるサテン編糸の変形例（開き目）を示す。
【図５】内側の縫製ラインを跨ぐ太い編糸をサテン編糸とした第１実施例の変形例を示す。
【図６】本発明の第２実施例に係るファスナーテープの編組織図を示す。
【図７】第２実施例で使用した個々の編糸の組織図を示す。
【図８】内側の縫製ラインを跨ぐ太い編糸を変形二目編糸とした第２実施例の変形例を示す。
【発明を実施するための形態】
【００２７】
本発明に係るファスナーストリンガーは基本構成として、テープ主体部及びエレメント取付部を有し経編組織からなる編物製ファスナーテープと、エレメント取付部の上に縫着されたコイル状の樹脂製エレメント列を備える。コイル状の樹脂製エレメント列を使用することとしたのは、軽い上に柔軟性が高く、収納性も高いことから、本発明の目的に照らしてエレメントとして最適だからである。エレメント列の材料となる樹脂としてはポリエステル、ナイロン、ポリプロピレン、アクリル等が挙げられるが、縫工性が良く、材料強度が高い等の理由によりポリエステルが好ましい。
【００２８】
経編組織を編成する編糸を全体的に細くしながらも、スライドファスナーとして実用に耐える強度を確保する上では、エレメント取付部の最も外側の編糸を十分に太くすることが好ましい。これはファスナーテープの伸びが抑えられ、テープ幅寸法が安定化して、エレメントの縫工性が良くなる理由による。典型的には６６〜２７５ｄＴｅｘ、好ましくは７８〜１６７ｄＴｅｘの繊度を有する編糸を使用することができる。ここに使用する編成組織としては鎖編が好ましい。鎖編を使用することで、エレメント取付部の縁部が強化されることに加えて経編テープの伸張が抑制され、ファスナーエレメントの取付作業が容易化するからである。
【００２９】
また、本発明ではエレメント列をエレメント取付部に縫着するためのニードル糸を一つのウェールを跨いで２本配置することで２本の縫製ラインを形成する。この縫製ラインは、ウェールを挟んでエレメント取付部の外側寄りに配置された第１の縫製ラインと、第１の縫製ラインよりもエレメント取付部の内側に配置された第２の縫製ラインである。第１の縫製ラインが後述する外側の縫製ラインであり、第２の縫製ラインが後述する内側の縫製ラインである。エレメント列の取り付けをこのような態様で行うことにより、編糸を細くしたことによるエレメント取り付け強度及び安定性の低下を補うことが可能となる。左右のファスナーストリンガーのエレメントが噛み合った時、各ファスナーテープの対向縁部間に生じる隙間寸法を安定化させるという理由により、典型的には、エレメント列を縫着するための２本のニードル糸が跨ぐウェールは、エレメント取付部の外側から数えて第２番目のウェールである。
【００３０】
ニードル糸は、本発明の目的であるスライドファスナーの軽量化に鑑みて、細い糸を採用することが望ましい。細い糸はスライドファスナーの柔軟性向上にも寄与する。ただし、あまりに細くすると実用性のある取り付け強度及び安定性が得られない。そこで、繊度が１００〜３５０ｄＴｅｘの糸を使用するのが好ましく、繊度が１１０〜２５０ｄＴｅｘの糸を使用するのがより好ましい。ニードル糸と組み合わせて使用されるルーパー糸の繊度についても同様である。
【００３１】
本発明ではこのようにして形成された２本の縫製ラインの内側の縫製ラインを跨ぐ編糸のうちいずれか１本の編糸の繊度を太くする。内側の縫製ラインを跨ぐ編糸というのはテープ内に複数存在し得るが、そのうちの１本のみの編糸の繊度を太くするということである。具体的には７２〜３３０ｄＴｅｘ、好ましくは７８〜２３５ｄＴｅｘ、より好ましくは７８〜１６７ｄＴｅｘの繊度を有する編糸を使用する。内側の縫製ラインを太くすることにより、ファスナーテープをその幅方向に引っ張る力が加わった時に、ファスナーテープが縫製ラインを境にして引きちぎれることを抑止することができる。太くする編糸としては、例えばトリコット編糸、サテン編糸、及び変形二目編糸が挙げられる。なお、本発明において、変形二目編糸とは、各コースで隣接する二つのウェールにそれぞれニードルループを形成しながらジグザグ状に配される編糸をいう。
【００３２】
このように、内側の縫製ラインを跨ぐ編糸のうちいずれか１本の編糸及び好ましくはエレメント取付部の最も外側の編糸を十分に太くすることで、その他の実質的にすべての編糸の繊度を５６〜１６７ｄＴｅｘ、典型的には６６〜１１０ｄＴｅｘ、より典型的には６６〜８４ｄＴｅｘの範囲でこれらの編糸よりも細くしたとしても、十分な強度（特に横引き強度）をもつスライドファスナーが得られるようになる。典型的な実施形態においては、エレメント取付部の最も外側の編糸及び内側の縫製ラインを跨ぐ前記太い１本の編糸の繊度に対して、その他の実質的にすべての編糸の繊度は１０ｄＴｅｘ以上相違し、より典型的な実施形態においては、２０ｄＴｅｘ以上相違し、例えば１０〜４０ｄＴｅｘ相違する。
【００３３】
上記段落で「実質的に」としたのは以下の理由による。編物製ファスナーテープではユーザーがテープ主体部及びエレメント取付部を取り違えて、テープ主体部にエレメントを取り付けるという誤りを防止するために、テープ主体部を中央にして左右両側にエレメント取付部として機能することが可能な経編組織を設けることがある。このような場合は、使用されずに余っているエレメント取付部の存在に拘わらず、本発明の範囲である。また、単に本発明の技術的範囲を逃れようとして形式的に１〜２本太い編糸を本発明で規定する箇所以外の箇所に使用しているような場合も本発明の範囲である。
【００３４】
上述したスライドファスナーのテープの幅寸法は１１〜１３ｍｍである。スライドファスナーはその用途によってエレメント列やテープのサイズが異なる。具体的には、コイル状のエレメント列の線径や、幅寸法、厚み寸法及びエレメント列同士が係合する噛合頭部の寸法等の大きさ、テープの幅寸法や厚み寸法が異なる。これは、エレメント列とテープのサイズを大きくすることで横引き強度を高めることができるからである。よって、テープのサイズを大きくし、その幅寸法を１４〜１７ｍｍとした場合は、２本の縫製ラインの内側の縫製ラインを跨ぐ編糸のうちいずれか１本の編糸の繊度を２３５〜３３０ｄＴｅｘとし、エレメント取付部の最も外側の編糸を除いたその他の実質的にすべての編糸の繊度を１１０〜１６７ｄＴｅｘとすることが好ましい。また、エレメント取付部の最も外側の編糸の繊度を１６７〜２７５ｄＴｅｘの繊度とし、ニードル糸とルーパー糸の繊度を２５０〜３５０ｄＴｅｘとすることが好ましい。
【００３５】
エレメント取付部とテープ主体部は、同一の繊度及び材質の編糸を使用してもよいが、テープ主体部とエレメント取付部で使用する編糸を変更してもよい。また、テープ主体部であるかエレメント取付部であるかに関係なく、必要に応じて編糸毎に繊度及び材質を変更することもできる。
【００３６】
編糸の材質としては従来スライドファスナーに使用されてきたポリエステル、ナイロン、ポリプロピレン、アクリル等を使用することができるが、編糸とエレメントに同じ材料を用い、染色後におけるお互いの色差を小さくするとの理由からポリエステルが好ましい。編糸はモノフィラメントから構成されることもでき、２本以上のモノフィラメントを束ねてできたマルチフィラメントから構成されることもできる。例えば、５ｄＴｅｘのモノフィラメントを５０本束ねたマルチフィラメントは繊度２５０ｄＴｅｘの１本の糸である。
【００３７】
ファスナーテープを編成する編糸自体は、公知の編組織を採用することができ、限定的ではないが、例えば鎖編糸、トリコット編糸、サテン編糸、変形二目編糸の編組織を採用することができる。しかしながら、ファスナーテープを嵩高にしながら、編機に加わる負担を軽減することを考慮すると、ファスナーテープは鎖編糸及びトリコット編糸の他に、更にサテン編糸及び変形二目編糸から選択される１種類を加えた合計３種類で編成されることが好ましい。閉じ目又は開き目はテープに必要な強度に応じて任意に選択することができる。
【００３８】
本発明に係るファスナーストリンガーの好ましい実施形態においては、一つの編目に対して３本の編糸が交絡している編目（３ループ編み構造）の数が編目全体の数に対して５０％以上であり、６０％以上であるのがより好ましい。３ループ編み構造を増やすことで、強度、風合い及び嵩高性が向上するという効果が得られる。２ループ構造が多いと糸を細くしたために十分な強度、風合い及び嵩高性が得られず、４ループ構造が多いと本来の目的であるスライドファスナーの軽量化を十分に達成できない。また、３ループ編み構造を増やしすぎると、ループを形成するための編糸の本数が増え、本来の目的であるスライドファスナーの軽量化を十分に達成できない。よって、一つの編目に対して３本の編糸が交絡している編目の数が編目全体の数に対して８０％未満とすることが好ましい。
【００３９】
一対のファスナーストリンガーを噛合させてファスナーチェーンとした後、スライダー及び上下止具を取り付け、スライドファスナーが完成する。本発明に係るスライドファスナーは各種の物品に縫着することで、物品の開閉具として使用することができ、中でも軽さが要求されるレース、カーディガン、ウィンドブレーカーなどの物品に好適に使用することができる。
【実施例】
【００４０】
以下、本発明の実施例について図面を参照しながら詳細に説明する。ただし、本発明は下記の実施例に限定されるものではなく、本発明の範囲内において種々の改変が可能である。【００４１】
＝第１実施例＝
図１は、本発明の第１実施例に係るファスナーテープ（１００）の編組織図を示す。経編組織はクロッシェ編機を用いて編成した。編糸の素材にはポリエステルを使用している。このファスナーテープ（１００）は、左端から順に第１ウェール（Ｗ１）〜第１２ウェール（Ｗ１２）によって構成されており、第１ウェール（Ｗ１）〜第３ウェール（Ｗ３）がエレメント取付部（Ａ）を形成し、第４ウェール（Ｗ４）〜第１２ウェール（Ｗ１２）がテープ主体部（Ｂ）を形成している。【００４２】
＜編組織＞
ファスナーテープ（１００）の編組織について説明する。エレメント取付部（Ａ）及びテープ主体部（Ｂ）は、図２に示すような１−０／０−１の開き目の鎖編糸（１０３、１０３’）と、１−０／１−２の閉じ目のトリコット編糸（１０４、１０４’）と、３−４／１−０の閉じ目のサテン編糸（１０５）の３種類の編糸とで編成される。図２には、上記編組織図における個々の編糸の組織図が示してあり、図の左から太い鎖編糸（１０３’）、鎖編糸（１０３）、トリコット編糸（１０４）、太いトリコット編糸（１０４’）、サテン編糸（変形トリコット編糸）（１０５）である。【００４３】
第１実施例に係るファスナーテープを組織する編糸のうち、第２ウェール（Ｗ２）と第３ウェール（Ｗ３）を跨ぐトリコット編糸（１０４’）、及び第１ウェール（Ｗ１）に配置される鎖編糸（１０３’）が太く、同じ太さである１１０ｄＴｅｘの繊度を有する。第１０ウェール（Ｗ１０）〜第１２ウェール（Ｗ１２）はエレメント取付部（Ａ）としても使用できるように、第１０ウェール（Ｗ１０）と第１１ウェール（Ｗ１１）を跨ぐトリコット編糸、及び第１２ウェール（Ｗ１２）に配置される鎖編糸が太く、１１０ｄＴｅｘの繊度を有する。その他の編糸には、繊度７８ｄＴｅｘの細い糸を使用している。各編糸の繊度は、上記実施例に限定されない。例えば、第２ウェール（Ｗ２）と第３ウェール（Ｗ３）を跨ぐトリコット編糸（１０４’）を、各編糸と比較して最も太い７８ｄＴｅｘとし、及び第１ウェール（Ｗ１）に配置される鎖編糸（１０３’）を７２ｄＴｅｘとし、その他の編糸を、各編糸と比較して最も細い６６ｄＴｅｘとしてもよい。また、第２ウェール（Ｗ２）と第３ウェール（Ｗ３）を跨ぐトリコット編糸（１０４’）を、各編糸と比較して最も太い７２ｄＴｅｘとし、第１ウェール（Ｗ１）に配置される鎖編糸（１０３’）と、その他の編糸を同じ太さの６６ｄＴｅｘとしてもよい。【００４４】
図１に示すように、第１実施例においては、一つの編目に対して３本の編糸が交絡している編目（３ループ編み構造）の数が編目全体の数に対して２／３である。【００４５】
第１実施例においては、サテン編糸（１０５）の編組織が隣り合う４つのウェールを跨いでいる。これにより、図１に示すファスナーテープの例では、編目全体の数が７２である。そのうち、一つの編目に対して３本の編糸が交絡している編目（３ループ編み構造）の数が４８である。よって、一つの編目に対して３本の編糸が交絡している編目の数は編目全体の数に対して約６８％となる。サテン編糸の編組織は実施例に限定されない。例えば、サテン編糸の編組織が隣り合う３つのウェールを跨ぐようにすることもできる。これにより、一つの編目に対して３本の編糸が交絡している編目の数が５４となる。よって、一つの編目に対して３本の編糸が交絡している編目の数は編目全体の数に対して約７５％となる。また、サテン編糸の編組織が隣り合う５つのウェールを跨ぐようにすることもできる。これにより、一つの編目に対して３本の編糸が交絡している編目の数が４２となる。よって、一つの編目に対して３本の編糸が交絡している編目の数は編目全体の数に対して約５８％となる。【００４６】
第１実施例においては、サテン編糸（１０５）は閉じ目で編成されているが、図４に示すように４−３／０−１の開き目のサテン編糸（１０５’）で編成することが可能である。また、鎖編糸（１０３、１０３’）及びトリコット編糸（１０４、１０４’）についても、閉じ目又は開き目を任意に選択することができる。【００４７】
第１実施例においては、第２ウェール（Ｗ２）と第３ウェール（Ｗ３）を跨ぐトリコット編糸を太い糸としているが、図５に示すように第１ウェール（Ｗ１）と第４ウェール（Ｗ４）に交互に編目をもつサテン編糸（１０５’’）を太くしてもよい。また、図示しないが、第２ウェール（Ｗ２）と第５ウェール（Ｗ５）に交互に編目をもつサテン編糸を太くしてもよい。これらは何れも第２ウェール（Ｗ２）と第３ウェール（Ｗ３）を跨いでいるからである。【００４８】
＜エレメント取り付け＞
図３は、第１実施例において、ファスナーテープ（１００）にエレメント列（１０１）を縫着してファスナーストリンガー（１０２）とした状態を示す断面図である。エレメント列（１０１）を縫着するためのニードル糸（１０６）が２本配置されている。これにより、外側の縫製ラインは第１ウェール（Ｗ１）と第２ウェール（Ｗ２）の間に形成され、内側の縫製ラインは第２ウェール（Ｗ２）と第３ウェール（Ｗ３）の間に配置される。ここではコイル状のポリエステル製エレメント列を使用している。【００４９】
エレメント列（１０１）の取付手順について説明する。まず、エレメント列（１０１）の中空部に芯紐（１０８）を挿通し、同エレメント列（１０１）の噛合頭部（１０９）をファスナーテープ（１００）の外側に向けてエレメント取付部（Ａ）の所定位置に載置する。次に、第１ウェール（Ｗ１）と第２ウェール（Ｗ２）との間の溝部（Ｇ１）、及び第２ウェール（Ｗ２）と第３ウェール（Ｗ３）との間の溝部（Ｇ２）にミシン針を刺通することにより、縫合糸としての２本のニードル糸（１０６）と１本のルーパー糸（１０７）とがエレメント列（１０１）の上脚部（１１０）及び下脚部（１１１）を締め付けるようにして、エレメント列（１０１）及び芯紐（１０８）をファスナーテープ（１００）に縫着する。ニードル糸（１０６）及びルーパー糸（１０７）の繊度は１３９ｄＴｅｘとした。【００５０】
＜面密度＞
第１実施例に係るファスナーストリンガーは１５０〜１７５ｇ／ｍ2の面密度を有しており、既存の編成ファスナーテープに比べて６０％の重量しかない。【００５１】
＜強度検査＞
第１実施例に係るファスナーストリンガーを２本用意し、これらを噛合させてファスナーチェーンとし、ＪＩＳ−Ｓ３０１５に準拠して横引き強度を検査した。その結果、５５７Ｎという結果が得られた。【００５２】
一方、比較例として、エレメント取付部の最も外側の編糸の繊度を１１０ｄＴｅｘとし、その他の実質的にすべての編糸の繊度を８４ｄＴｅｘとした編成ファスナーテープを用いたファスナーチェーン（比較例１）の横引き強度を検査したところ、４４４Ｎという結果であった。【００５３】
この結果より、２本の縫製ラインの内側の縫製ラインを跨ぐ編糸のうち１本の編糸の繊度を高くしただけで、ファスナーチェーンに横引き力が加わった時に、ファスナーテープが縫製ラインで裂けることなく、実質的にすべての編糸が細いファスナーチェーンに比べて顕著に強度が上昇し、すべての編糸が太い従来のファスナーチェーンと遜色ない強度が得られることが分かる。【００５４】
＝第２実施例＝
図６は、本発明の第２実施例に係るファスナーテープ（２００）の編組織図の一部を示す。経編組織はクロッシェ編機を用いて編成した。このファスナーテープ（２００）は、第１実施例に対して、サテン編糸を３−４／１−０の変形二目編糸に変更した編組織を有する。したがって、第２実施例に係るファスナーテープ（２００）は、鎖編糸（１０３、１０３’）と、トリコット編糸（１０４、１０４’）と、変形二目編糸（１１２）の３種類の編糸とで編成されることとなる。図７には、上記編組織図における個々の編糸の組織図が示してあり、図の左から太い鎖編糸（１０３’）、鎖編糸（１０３）、トリコット編糸（１０４）、太いトリコット編糸（１０４’）、変形二目編糸（１１２）である。【００５５】
第２実施例においては、一つの編目に対して３本の編糸が交絡している編目（３ループ編み構造）の数が編目全体の数に対して７／１２である。【００５６】
第２実施例においては、鎖編糸（１０３、１０３’）は開き目、トリコット編糸（１０４、１０４’）は閉じ目で編成されているが、閉じ目又は開き目は任意に選択することができる。【００５７】
第２実施例においては、第２ウェール（Ｗ２）と第３ウェール（Ｗ３）を跨ぐトリコット編糸（１０４’）を太い糸としているが、図８に示すように第１ウェール（Ｗ１）から第４ウェール（Ｗ４）に跨る変形二目編糸（１１２’）を太くしてもよい。また、図示しないが、第２ウェール（Ｗ２）から第５ウェール（Ｗ５）に跨る変形二目編糸を太くしてもよい。これらは何れも第２ウェール（Ｗ２）と第３ウェール（Ｗ３）を跨いでいるからである。【００５８】
第２実施例に係る編成ファスナーテープを使用した場合においても、実施例１と同様に、軽量でかつ強度に優れたファスナーチェーンが得られた。
【符号の説明】
【００５９】
１００                        ファスナーテープ
１０１                        エレメント列
１０２                        ファスナーストリンガー
１０３、１０３’              鎖編糸
１０４、１０４’              トリコット編糸
１０５、１０５’、１０５’’  サテン編糸
１０６                        ニードル糸
１０７                        ルーパー糸
１０８                        芯紐
１０９                        噛合頭部
１１０                        上脚部
１１１                        下脚部
１１２、１１２’              変形二目編糸
２００                        ファスナーテープ
Ａ                            エレメント取付部
Ｂ                            テープ主体部
Ｇ１、Ｇ２                    溝部
Ｗ１〜Ｗ１２                  第１ウェール〜第１２ウェール
【図１】
2012042616.tif 000003
【図２】
2012042616.tif 000004
【図３】
2012042616.tif 000005
【図４】
2012042616.tif 000006
【図５】
2012042616.tif 000007
【図６】
2012042616.tif 000008
【図７】
2012042616.tif 000009
【図８】
2012042616.tif 000010
【国際調査報告】
2012042616.tif 000011
2012042616.tif 000012
2012042616.tif 000013
2012042616.tif 000014